(57)【要約】【課題】本発明は、使い捨ておむつ等の股下部材を動物の股下に的確に当接させることができ、動物から排泄された尿などの排泄物を前記股下部材から漏れにくくすることができる帯状体を提供する。【解決手段】本発明の帯状体（１）は、長手方向の中央に位置し且つ装着時に動物の腹部に対応する中央領域と、長手方向の一方側端縁部及び前記中央領域の間に延在し且つ装着時に動物の背部に対応する第１領域と、長手方向の他方側端縁部及び前記中央領域の間に延在し且つ装着時に動物の背部に対応する第２領域とを有し、さらに、前記第１領域の胴体対向面に配置された第１係合部（５）と、前記第２領域の胴体非対向面に配置され且つ前記第１係合部（５）と係合可能な第２係合部（６）と、前記長手方向の一方側端縁部及び前記第１係合部（５）の間において摘持可能な長手方向長さを有し且つ前記第２係合部（６）と係合しない摘持部（７）と、を備えている。【選択図】図１
2018088851.tif 000002
【特許請求の範囲】
【請求項１】
動物の胴周り方向に対応する長手方向と、動物の前後方向に対応する幅方向とを有し、動物の股下に配置される股下部材を着脱自在に固定するための再利用可能な帯状体であって、
前記帯状体は、装着時に動物の胴体と対向する胴体対向面と、該胴体対向面とは反対側の胴体非対向面とを有するとともに、前記長手方向の中央に位置し且つ装着時に動物の腹部に対応する中央領域と、前記長手方向の一方側端縁部及び前記中央領域の間に延在し且つ装着時に動物の背部に対応する第１領域と、前記長手方向の他方側端縁部及び前記中央領域の間に延在し且つ装着時に動物の背部に対応する第２領域と、を有しており、
さらに、前記帯状体は、前記第１領域の前記胴体対向面に配置された第１係合部と、前記第２領域の前記胴体非対向面に配置され且つ前記第１係合部と係合可能な第２係合部と、前記長手方向の一方側端縁部及び前記第１係合部の間において摘持可能な長手方向長さを有し且つ前記第２係合部と係合しない摘持部と、を備えている、
前記帯状体。
【請求項２】
前記第２係合部は、前記長手方向の長さが前記幅方向の長さよりも小さい、請求項１に記載の帯状体。
【請求項３】
前記第２係合部は、前記胴体非対向面から突出する複数の係合突起を有する、請求項１又は２に記載の帯状体。
【請求項４】
前記摘持部は、前記第２係合部よりも長手方向内方側に位置する胴体非対向面側被係合部と係合可能な第３係合部を、前記胴体対向面に備えている、請求項１〜３のいずれか一項に記載の帯状体。
【請求項５】
前記第３係合部は、前記長手方向の長さが前記幅方向の長さよりも小さい、請求項４に記載の帯状体。
【請求項６】
前記第３係合部は、前記胴体対向面から突出する複数の係合突起を有する、請求項４又は５に記載の帯状体。
【請求項７】
前記胴体非対向面側被係合部が、前記第２係合部の長手方向内方側端縁から前記帯状体の前記幅方向に延びる長手方向中央軸線を越えるように前記長手方向に延在している、請求項４〜６のいずれか一項に記載の帯状体。
【発明の詳細な説明】
【技術分野】
【０００１】
本発明は、ペット用使い捨ておむつ等の動物用吸収性物品に用いられる、帯状体に関する。
【背景技術】
【０００２】
犬等のペットが排泄した排泄物を処理するための動物用吸収性物品として、ペットの胴周りに巻き付けて装着される帯状のベルトと、ペットの股下部に配置され且つ前記ベルトに着脱自在に固定される使い捨ておむつとを備えた、動物用吸収性物品が知られている。
【０００３】
そのような動物用吸収性物品として、例えば、特許文献１には、予めペットの胴部に巻いておく伸縮素材のベルトと、両脇を山形に高くした構造の吸収体を備えたオムツ本体とからなる二部式の寝たきりペット用紙オムツにおいて、オムツ本体前部にミシン目を設けるとともに、オムツ本体後部にスリットで分割された伸縮素材を用いた、寝たきりペット用紙オムツが開示されている。この特許文献１に開示されたペット用紙オムツは、オムツ本体の前部と後部に分割された伸縮素材を用いることにより、横臥による体形の左右バランスの変化にもフィットすることができ、さらに、両脇を山形にした構造の吸収体により、尿や糞の横漏れを防止することができるとされている。
【先行技術文献】
【特許文献】
【０００４】
【特許文献１】特開２００６−１２２０３９号公報
【発明の概要】
【発明が解決しようとする課題】
【０００５】
しかしながら、この特許文献１に開示されたペット用紙オムツのように、オムツ本体（股下部材）を固定するためのベルト（帯状体）を備えた動物用吸収性物品においては、帯状体を犬などのペットの胴体に巻き付ける際に、ペットが嫌がって動いてしまうため、帯状体を十分な締め付け力でペットの胴体に装着することが難しかった。帯状体が十分な締め付け力でペットの胴体に装着されていないと、当該帯状体が動物の動作等によって適正な位置からずれてしまい、結果的に、前記帯状体に固定される股下部材がペットの股下に適切に当接しにくくなるため、ペットから排泄された尿などの排泄物が前記股下部材から漏れてしまう虞があった。
【０００６】
そこで、本発明は、使い捨ておむつ等の股下部材を動物の股下に的確に当接させることができ、動物から排泄された尿などの排泄物を前記股下部材から漏れにくくすることができる帯状体を提供することを目的とする。
【課題を解決するための手段】
【０００７】
本発明の一態様（態様１）は、動物の胴周り方向に対応する長手方向と、動物の前後方向に対応する幅方向とを有し、動物の股下に配置される股下部材を着脱自在に固定するための再利用可能な帯状体であって、
前記帯状体は、装着時に動物の胴体と対向する胴体対向面と、該胴体対向面とは反対側の胴体非対向面とを有するとともに、前記長手方向の中央に位置し且つ装着時に動物の腹部に対応する中央領域と、前記長手方向の一方側端縁部及び前記中央領域の間に延在し且つ装着時に動物の背部に対応する第１領域と、前記長手方向の他方側端縁部及び前記中央領域の間に延在し且つ装着時に動物の背部に対応する第２領域と、を有しており、
さらに、前記帯状体は、前記第１領域の前記胴体対向面に配置された第１係合部と、前記第２領域の前記胴体非対向面に配置され且つ前記第１係合部と係合可能な第２係合部と、前記長手方向の一方側端縁部及び前記第１係合部の間において摘持可能な長手方向長さを有し且つ前記第２係合部と係合しない摘持部と、を備えている、前記帯状体である。
【０００８】
なお、本明細書において、「再利用可能な帯状体」とは、動物に装着した帯状体が、動物の排泄物や汗、その他の汚染物等によって汚れた場合に、洗濯等による洗浄及び乾燥を施すことによって、再度利用し得る状態を形成することができる帯状体をいう。
また、本明細書において、「摘持可能な長手方向長さ」とは、帯状体を動物の胴体に装着する者（例えば、飼い主等）が、一方の手の親指と人差し指の各指の腹で帯状体の長手方向の端部を着実に摘むことができ、且つ、その摘んだ状態を維持したまま、移動や締め付け力を調節するのに必要な力を付与することができる十分な長手方向長さをいい、装着する者の手の大きさや帯状体のサイズ等にもよるが、凡そ１０ｍｍ以上の長さをいう。
【０００９】
本態様１の帯状体は、長手方向の一方側端縁部及び第１係合部の間に上述のような摘持部を備えているため、かかる帯状体を動物の胴体に装着する者（例えば、飼い主等）が、帯状体を動物の胴体に装着する際に、第１係合部と第２係合部を係合固定した後に、上述の摘持部を掴んで、第１係合部と第２係合部の係合固定を解除しつつ、帯状体の締め付け力を調節したり、装着位置を微調整したりすることができる。なお、この締め付け力の調節や装着位置の微調整を行った後は、第１係合部と第２係合部を再係合させることにより、その状態を維持することができる。
以上より、本態様１の帯状体は、動物の胴体に対して、帯状体を適正な位置に密着させて装着することができるため、当該帯状体に固定される股下部材を、動物の股下に的確に当接させることができ、動物から排泄された尿などの排泄物を前記股下部材から漏れにくくすることができる。
【００１０】
また、本発明の別の態様（態様２）では、前記態様１の帯状体において、前記第２係合部は、前記長手方向の長さが前記幅方向の長さよりも小さい。
【００１１】
本態様２の帯状体は、第２係合部の前記長手方向の長さが前記幅方向の長さよりも小さい（換言すれば、第２係合部の幅方向が帯状体の長手方向に対応する）ため、第１係合部と第２係合部の係合を、一定の係合強度を確保しつつも、上述の摘持部を掴んで帯状体の締め付け力の調節や装着位置の微調整を行う際は、解除しやすくすることができる。これにより、本態様の帯状体は、動物の胴体に対して、より容易に、帯状体を適正な位置に密着させて装着することができる。
【００１２】
本発明の更に別の態様（態様３）では、前記態様１又は２の帯状体において、前記第２係合部は、前記胴体非対向面から突出する複数の係合突起を有する。
【００１３】
本態様３の帯状体は、胴体非対向面に配置された第２係合部が複数の係合突起を有している（すなわち、第２係合部と係合する第１係合部は、当該第２係合部の係合突起を受け入れる係合凹部を有し、係合突起を有していない）ため、帯状体の装着時に、当該帯状体の胴体対向面に配置された第１係合部に動物の毛が絡まったり、係合突起によって動物の胴体にチクチクとした刺激を与えたりするのを防ぐことができる。これにより、本態様３の帯状体は、装着時に動物が嫌がりにくく、上述の帯状体を適正な位置に密着させて装着した状態が維持しやすくなっている。
したがって、本態様３の帯状体は、上記各態様の帯状体による作用効果をより持続的に発揮することができる。
【００１４】
本発明の更に別の態様（態様４）では、前記態様１〜３のいずれかの帯状体において、前記摘持部は、前記第２係合部よりも長手方向内方側に位置する胴体非対向面側被係合部と係合可能な第３係合部を、前記胴体対向面に備えている。
【００１５】
本態様４の帯状体は、上述の摘持部が、前記第２係合部よりも長手方向内方側に位置する胴体非対向面側被係合部と係合可能な第３係合部を、前記胴体対向面に備えているため、帯状体を動物の胴体に装着する者が、帯状体の締め付け力の調節や装着位置の微調整を行った後に、第１係合部と第２係合部を再係合させることによってその状態を維持しつつ、上述の第３係合部と胴体非対向面側被係合部を係合させることによって、その状態をより確実に維持することができる。
さらに、第１係合部よりも長手方向外方側に位置する摘持部が、上述の第３係合部によって胴体非対向面側被係合部と係合固定すると、帯状体の長手方向の一方側端縁部が捲れたり、当該一方側端縁部が動物の爪や外部の構造物に引っ掛かったりして、第１係合部と第２係合部の係合が外れるというようなことが起こりにくくなるため、本態様４の帯状体は、上述の帯状体を適正な位置に密着させて装着した状態を、より確実に維持することができる。
したがって、本態様４の帯状体は、上記各態様の帯状体による作用効果を、より確実且つ持続的に発揮することができる。
【００１６】
本発明の更に別の態様（態様５）では、前記態様４の帯状体において、前記第３係合部は、前記長手方向の長さが前記幅方向の長さよりも小さい。
【００１７】
通常、動物の胴周りに沿って装着された帯状体は、長手方向に湾曲するため、比較的剛性の高い係合部においては、その剛性によって、湾曲した状態から元の状態に戻ろうとする反発力が生じ、当該係合部による係合が外れやすくなるところ、本態様５の帯状体は、第３係合部の長手方向の長さが幅方向の長さよりも小さいため、当該第３係合部において、長手方向に湾曲する領域を小さくしつつ、上述の胴体非対向面側被係合部と係合する領域を幅方向に広く確保することができ、当該第３係合部と胴体非対向面側被係合部の係合を外れにくくすることができる。
したがって、本態様５の帯状体は、上記態様４の帯状体の作用効果を、より確実に発揮することができる。
【００１８】
本発明の更に別の態様（態様６）では、前記態様４又は５の帯状体において、前記第３係合部は、前記胴体対向面から突出する複数の係合突起を有する。
【００１９】
本態様６の帯状体は、第３係合部が複数の係合突起を有している（すなわち、第３係合部と係合する胴体非対向面側被係合部は、当該第３係合部の係合突起を受け入れる係合凹部を有し、係合突起を有していない）ため、当該第３係合部と係合する胴体非対向面側被係合部の剛性が、係合突起を有することによって増大するのを防ぐことができる。これにより、帯状体の剛性を増大させずに、上述の胴体非対向面側被係合部をより広く確保することができるため、本態様６の帯状体は、上述の帯状体の締め付け力の調節や装着位置の微調整を、より容易に且つより精度よく行うことができる。
【００２０】
本発明の更に別の態様（態様７）では、前記態様４〜６のいずれかの帯状体において、前記胴体非対向面側被係合部が、前記第２係合部の長手方向内方側端縁から前記帯状体の前記幅方向に延びる長手方向中央軸線を越えるように前記長手方向に延在している。
【００２１】
本態様７の帯状体は、胴体非対向面側被係合部が長手方向の広範囲に亘って延在しているため、第３係合部と胴体非対向面側被係合部の係合位置の自由度が大きく、上述の帯状体の締め付け力の調節や装着位置の微調整を行った後の装着状態を、より的確に維持することができる。
【発明の効果】
【００２２】
本発明の帯状体によれば、使い捨ておむつ等の股下部材を動物の股下に的確に当接させることができ、動物から排泄された尿などの排泄物を前記股下部材から漏れにくくすることができる。
【図面の簡単な説明】
【００２３】
【図１】図１は、本発明の一実施形態に係る帯状体１の斜視図である。
【図２】図２は、帯状体１を、展開した状態で胴体対向面側から厚さ方向に見た平面図である。
【図３】図３は、帯状体１を、展開した状態で胴体非対向面側から厚さ方向に見た平面図である。
【図４】図４は、帯状体１における、図２の幅方向中央軸線ＣLに沿った長手方向断面の端面図である。
【図５】図５は、本発明の帯状体が適用され得る動物用吸収性物品の股下部材１０を、展開した状態で胴体対向面側から厚さ方向に見た平面図である。
【図６】図６（ａ）は、帯状体１の第１係合部と第２係合部を係合させて、帯状体１を犬に装着（仮装着）する様子を示す模式図であり、図６（ｂ）は、飼い主が帯状体１の摘持部を摘んで、帯状体１の締め付け力の調節や装着位置の微調整を行う様子を示す模式図であり、図６（ｃ）は、帯状体１の締め付け力の調節や装着位置の微調整を行った後に帯状体１の第１係合部と第２係合部を再係合させて、帯状体１を犬に装着（本装着）した状態を示す模式図である。
【図７】図７は、帯状体１及び股下部材１０を犬に装着した状態を示す模式図である。
【発明を実施するための形態】
【００２４】
以下、本発明の帯状体の好適な実施形態について、図面を参照しながら詳細に説明する。なお、本明細書においては、特に断りのない限り、「展開した状態で水平面上に置いた対象物（例えば、帯状体、股下部材等）を、垂直方向の上方側から対象物の厚さ方向に見ること」を、単に「平面視」という。
【００２５】
本明細書において用いられる各種方向等については、特に断りのない限り、以下のとおりである。
本明細書において、「長手方向」は、「平面視における縦長の対象物（例えば、帯状体、股下部材等）の長さの長い方向」を指し、「幅方向」は、「平面視における縦長の対象物の長さの短い方向（短手方向）」を指し、「厚さ方向」は、「展開した状態で水平面上に置いた対象物に対して垂直方向」を指し、これらの長手方向、幅方向及び厚さ方向は、それぞれ互いに直交する関係にある。
さらに、本明細書では、「縦長の対象物（例えば、帯状体等）の幅方向において、該対象物の幅方向の中央に位置し且つ長手方向に延びる幅方向中央軸線ＣLに対して、相対的に近位側」を「幅方向内方側」といい、「縦長の対象物の幅方向において、前記幅方向中央軸線ＣLに対して相対的に遠位側」を「幅方向外方側」という。同様に、「縦長の対象物の長手方向において、該対象物の長手方向の中央に位置し且つ幅方向に延びる長手方向中央軸線ＣWに対して、相対的に近位側」を「長手方向内方側」といい、「縦長の対象物の長手方向において、前記長手方向中央軸線ＣWに対して、相対的に遠位側」を「長手方向外方側」という。
また、本明細書では、「帯状体の装着対象である動物の胴体が延びる方向」を「動物の前後方向」といい、「動物の前後方向において、動物の頭部に対して相対的に近位側」を「動物の前方側」といい、「動物の前後方向おいて、動物の頭部に対して相対的に遠位側」を「動物の後方側」という。
そして、本明細書では、特に断りのない限り、「帯状体及び股下部材の厚さ方向において、帯状体及び股下部材を動物の胴体に装着したときに、動物の胴体に対して相対的に近位側となる一方側」を「胴体対向面側」といい、「帯状体及び股下部材の厚さ方向において、帯状体及び股下部材を動物の胴体に装着したときに、動物の胴体に対して相対的に遠位側となる他方側」を「胴体非対向面側」という。なお、本明細書においては、帯状体及び股下部材並びにこれらを構成する各種部材（例えば、芯材、内側表面材、外側表面材、表面シート、吸収体、裏面シート等）の「胴体対向面側の表面」及び「胴体非対向面側の表面」を、それぞれ「胴体対向面」及び「胴体非対向面」ということがある。
【００２６】
図１は、本発明の一実施形態に係る帯状体１の斜視図であり、図２は、帯状体１を、展開した状態で胴体対向面側から厚さ方向Ｔに見た平面図であり、図３は、帯状体１を、展開した状態で胴体非対向面側から厚さ方向Ｔに見た平面図である。また、図４は、帯状体１における、図２の幅方向中央軸線ＣLに沿った長手方向断面の端面図であり、図７は、帯状体１及び股下部材１０を犬に装着した状態を示す模式図である。
本発明の一実施形態に係る帯状体１は、図７に示すように、犬などの動物の腹部及び背部を含む胴周りに沿って着脱自在に装着されて、動物の股下部に配置される（より具体的には、動物の股下部を中心にして動物の腹部から背部に至る部分に配置される）股下部材（例えば、動物用使い捨ておむつや失禁パッド等）を着脱自在に固定するための再利用可能な帯状の部材である。帯状体１は、図１〜図４に示すように、動物の胴周り方向に対応する長手方向Ｌと、動物の前後方向に対応する幅方向Ｗと、厚さ方向Ｔとを有するとともに、平面視にて、長手方向Ｌの両端縁部（図２及び図３における、長手方向Ｌの一方側端縁部ＥL1及び他方側端縁部ＥL2）の各々が長手方向外方側に向かって円弧状に突出し且つ幅方向Ｗの両端縁部（図２及び図３における、幅方向Ｗの一方側端縁部ＥＷ１及び他方側端縁部ＥＷ２）の各々が長手方向Ｌに沿って直線状に延びる、縦長の外形形状を有していて、動物の胴周りに沿って巻き付けられるように（すなわち、帯状体１の長手方向Ｌの長さが動物の胴周り長さよりも大きくなるように）構成されている。
【００２７】
なお、本発明において、帯状体の外形形状及び外形寸法は、上述の実施形態の態様に限定されず、装着対象となる動物の胴周り長さよりも大きい長手方向長さを有する縦長の外形形状であれば、動物の種類や体型、サイズ等に応じた任意の縦長の外形形状（例えば、長方形、四隅の各々が円弧状の略長方形、楕円形、砂時計形等）及び外形寸法を採用することができる。
【００２８】
上述の実施形態に係る帯状体１は、図１〜図４に示すように、装着時に動物の胴体と対向する胴体対向面Ｆ1と、該胴体対向面Ｆ1とは反対側の面であって、上述の股下部材１０が着脱自在に固定される固定面を有する胴体非対向面Ｆ2と、を有するとともに、平面視にて、前記長手方向Ｌの中央に位置し且つ装着時に動物の腹部に対応する中央領域ＡＣと、前記長手方向Ｌの一方側端縁部ＥＬ１及び前記中央領域ＡＣの間に延在し且つ装着時に動物の背部に対応する第１領域Ａ１と、前記長手方向Ｌの他方側端縁部ＥＬ２及び前記中央領域ＡＣの間に延在し且つ装着時に動物の背部に対応する第２領域Ａ２と、を有している。
【００２９】
また、帯状体１は、厚さ方向Ｔにおいて、帯状体１の胴体対向面側に位置して前記帯状体１の胴体対向面Ｆ1を形成する内側表面材２と、帯状体１の胴体非対向面側に位置して前記帯状体１の胴体非対向面Ｆ2を形成する外側表面材３と、これらの表面材の間に位置して前記帯状体１に所定の剛性を付与する芯材４と、帯状体１の前記第１領域Ａ１の胴体対向面Ｆ1に配置されたループ部材５（第１係合部）と、帯状体１の前記第２領域Ａ２の胴体非対向面Ｆ２に配置され且つ前記ループ部材５と係合可能なフック部材６（第２係合部）と、を基本構成として備えている。なお、本実施形態において、内側表面材２、外側表面材３及び芯材４は、それぞれ平面視にて、帯状体１の長手方向Ｌにおける一方側端縁部ＥL1から他方側端縁部ＥL2に亘って延在しているとともに、帯状体１の幅方向Ｗにおける一方側端縁部ＥW1から他方側端縁部ＥW2に亘って延在している。
さらに、帯状体１は、図２〜図４に示すように、帯状体１の前記第１領域Ａ１の胴体対向面Ｆ1において前記ループ部材５の長手方向外方側に隣接するように配置され且つ前記胴体非対向面Ｆ２における前記フック部材６よりも長手方向内方側に位置する胴体非対向面側被係合部８と係合可能なフック部材７２（第３係合部）と、帯状体１の外周端縁部（すなわち、帯状体１における長手方向Ｌの一方側端縁部ＥL1及び他方側端縁部ＥL2並びに幅方向Ｗの一方側端縁部ＥW1及び他方側端縁部ＥW2からなる、帯状体１の外周全体に沿った端縁部）において帯状体１の胴体対向面Ｆ1から胴体非対向面Ｆ2まで延在するように（すなわち、縁取るように）配置された剛性補強部材９と、を備えていて、当該帯状体１を、動物の胴体に対して着実に装着できるように構成されている。
【００３０】
なお、本明細書において、帯状体の長手方向における第１領域は、平面視にて、帯状体の長手方向における一方側端縁部（本実施形態においては、図２及び図３に示す一方側端縁部ＥL1）から長手方向内方側に向かって延在する領域であり、帯状体の装着時には動物の背部に対応し、長手方向長さが、例えば、帯状体全体の長手方向長さの約１／４となる領域を指す。同様に、帯状体の長手方向における第２領域は、平面視にて、帯状体の長手方向における他方側端縁部（本実施形態においては、図２及び図３に示す他方側端縁部ＥL2）から長手方向内方側に向かって延在する領域であり、帯状体の装着時には動物の背部に対応し、長手方向長さが、例えば、帯状体全体の長手方向長さの約１／４となる領域を指す。さらに、帯状体の長手方向における中央領域は、上述の第１領域と第２領域との間に延在する領域であり、帯状体の装着時には動物の腹部に対応し、長手方向長さが、例えば、帯状体全体の長手方向長さの約１／２となる領域を指す。なお、第１領域、第２領域及び中央領域の各々の長手方向長さは、帯状体の装着対象となる動物の種類や体型、サイズなどに応じて適宜設定されるものである。
【００３１】
また、上述の固定面は、帯状体の胴体非対向面において、股下部材が着脱自在に固定される面（後述する股下部材１０の胴体対向面となる第１面Ｆ3に配置された腹部側係合部材１７及び背部側係合部材１８が着脱自在に係合固定される面）である。なお、上述の実施形態においては、帯状体１の胴体非対向面Ｆ2のうち、フック部材６（第２係合部）及び剛性補強部材９が配置されている面以外の面がすべて固定面として機能し得るが、当該固定面は、帯状体の胴体非対向面Ｆ２における所定の一部分が固定面として機能し得るように形成されていればよい。
【００３２】
そして、本実施形態においては、帯状体１は、長手方向Ｌの一方側端縁部ＥＬ１と前記第１領域Ａ１の胴体対向面Ｆ1に配置されたループ部材５（第１係合部）との間に、摘持可能な長手方向長さを有し且つ前記第２領域Ａ２の胴体非対向面Ｆ２に配置されたフック部材６（第２係合部）と係合しない摘持部７を備えている。なお、本実施形態においては、摘持部７は、図２〜図４に示すように、帯状体１の前記第１領域Ａ１の胴体対向面Ｆ1において前記ループ部材５の長手方向外方側に隣接するように配置されたフック部材７２（第３係合部）と、当該フック部材７２の長手方向外方側に隣接し且つフック部材６（第２係合部）と係合しない非係合部７１と、を含む。
【００３３】
本実施形態に係る帯状体１は、長手方向Ｌの一方側端縁部ＥＬ１と前記ループ部材５（第１係合部）との間に上述のような摘持部７を備えているため、飼い主が、帯状体１を犬などの動物の胴体に装着する際に、ループ部材５（第１係合部）とフック部材６（第２係合部）を係合固定した後に（図６（ａ）を参照）、上述の摘持部７を掴んで、ループ部材５（第１係合部）とフック部材６（第２係合部）の係合固定を解除しつつ、帯状体１の締め付け力を調節したり、帯状体１の装着位置を微調整したりすることができる（図６（ｂ）を参照）。なお、帯状体１の締め付け力の調節や装着位置の微調整を行った後は、ループ部材５（第１係合部）とフック部材６（第２係合部）を再係合させることにより、その状態を維持することができる。
以上より、本実施形態に係る帯状体１は、動物の胴体に対して、適正な位置に密着させて装着することができるため、当該帯状体１に固定される股下部材１０を動物の股下に的確に当接させることができ、動物から排泄された尿などの排泄物を股下部材１０から漏れにくくすることができる。
【００３４】
本実施形態に係る帯状体１は、次のようにして動物の胴体に装着される。
ここで、図５は、本発明の帯状体が適用され得る動物用吸収性物品の股下部材１０を、展開した状態で胴体対向面側から厚さ方向に見た平面図であり、さらに、図６（ａ）は、帯状体１の第１係合部と第２係合部を係合させて、帯状体１を犬（動物）に装着（仮装着）する様子を示す模式図であり、図６（ｂ）は、飼い主が帯状体１の摘持部を摘んで、帯状体１の締め付け力の調節や装着位置の微調整を行う様子を示す模式図であり、図６（ｃ）は、帯状体１の締め付け力の調節や装着位置の微調整を行った後に帯状体１の第１係合部と第２係合部を再係合させて、帯状体１を犬に装着（本装着）した状態を示す模式図である。
まず、帯状体１は、長手方向Ｌが動物の胴周り方向に対応し且つ前記中央領域ＡCが動物の腹部に対向するように動物の胴体にあてがわれた後、動物の胴周りに沿うようにして動物の胴体に巻き付けられる。このとき、動物の背部において、帯状体１の長手方向Ｌにおける一方側の第１領域Ａ１が他方側の第２領域Ａ２の上（具体的には、第２領域Ａ２の胴体非対向面上）に重ねられ、図６（ａ）に示すように、前記第１領域Ａ１の胴体対向面Ｆ1に配置されたループ部材５（第１係合部）が、前記第２領域Ａ２の胴体非対向面Ｆ２に配置されたフック部材６（第２係合部）に係合固定される。これにより、帯状体１が動物の胴体に仮装着される。
そして、この仮装着の後、図６（ｂ）に示すように、帯状体１の長手方向Ｌにおける一方側端縁部ＥＬ１と前記ループ部材５（第１係合部）との間に位置する摘持部７を掴んで、ループ部材５（第１係合部）とフック部材６（第２係合部）の係合固定を解除しつつ、帯状体１の締め付け力の調節や装着位置の微調整を行い、さらに、その状態を維持したまま、ループ部材５（第１係合部）とフック部材６（第２係合部）を再係合させることにより、帯状体１が動物の胴体に本装着される。
さらに、本実施形態においては、図６（ｃ）に示すように、帯状体１の胴体対向面Ｆ１に配置されたフック部材７２（第３係合部）が、帯状体１の胴体非対向面Ｆ２において前記フック部材６よりも長手方向内方側に位置する胴体非対向面側被係合部８に係合固定されるため、上述の摘持部７も動物の胴周りに沿うように固定される。
なお、このようにして、動物の胴体に装着された帯状体１は、更に図７に示すように、吸収体１３を備えた股下部材１０が、帯状体１の中央領域ＡC及び第１領域Ａ1の各々の胴体非対向面Ｆ2における固定面に係合固定される。
【００３５】
ここで、本発明の帯状体が適用される「動物」は、ペット等として飼育され得る動物であれば特に限定されず、上述の実施形態のような犬のほか、例えば、猫や猿等の様々な動物を対象とすることができる。なお、本発明の帯状体が適用される動物用吸収性物品（例えば、使い捨ておむつや失禁パッド等）が吸収・保持する対象の排泄物は、特に制限されず、例えば、尿や糞、血液等の各種排泄物が挙げられる。
【００３６】
以下、本発明の帯状体を構成する各種部材について、上述の実施形態に係る帯状体１を用いて更に詳細に説明する。
【００３７】
［内側表面材］
本実施形態に係る帯状体１において内側表面材２は、図２及び図４に示すように、平面視にて、帯状体１の長手方向Ｌにおける一方側端縁部ＥL1から他方側端縁部ＥL2に亘って延在するとともに幅方向Ｗにおける一方側端縁部ＥW1から他方側端縁部ＥW2に亘って延在する、縦長の外形形状（より具体的には、長手方向Ｌの両端縁部の各々が長手方向外方側に向かって円弧状に突出した縦長の外形形状）を有し、帯状体１の厚さ方向Ｔにおいて胴体対向面側の位置に配置されて、装着対象の動物の胴体に直に接触し得る柔軟性シート材によって構成されている。なお、本実施形態においては、内側表面材２は、帯状体１の各係合部に用いられているいずれのフック部材とも係合しない非係合性の柔軟性シート材によって形成されているため、上述の非係合部７１は、この内側表面材２の胴体対向面Ｆ１の一部として構成されている。
【００３８】
本発明において、内側表面材として用い得る柔軟性シート材は、帯状体の内側表面材として用い得る所定の柔軟性を有し且つ洗濯等により再利用可能なものであれば特に制限されず、フェルトやフリース等の不織布；織布；メッシュ材等の編布；天然皮革；合成皮革；ポリオレフィンやポリエステル製シート等の樹脂製シートなどの様々なシート材を採用することができるが、柔軟性や通気性、肌触り、手入れのしやすさ（洗濯容易性）、強度などの点から、不織布や織布、編布等の繊維シートを用いることが好ましい。また、柔軟性シート材がこのような繊維シートからなる場合、その構成繊維は特に制限されず、例えば、合成繊維（例えば、ポリエステル繊維、ナイロン繊維等）、天然繊維（例えば、綿、絹等）、再生繊維（例えば、レーヨン、キュプラ等）、半合成繊維（アセテート繊維等）等の任意の繊維を用いることができ、これらの繊維は単独で用いても、二種類以上の繊維を併用してもよい。
【００３９】
さらに、内側表面材として用い得る柔軟性シート材の構造は、特に制限されず、平坦な無孔のシート材のほか、例えば、有孔のシート材、凹凸構造（例えば、断面形状が波形となる凹凸構造等）を有するシート材なども、好適に用いることができる。なお、柔軟性シート材は、単層構造のシート材であっても、多層構造のシート材であってもよい。
【００４０】
なお、本発明において、内側表面材として用い得る柔軟性シート材の寸法形状や厚み等は、かかる柔軟性シート材が帯状体の内側表面材として機能し得るものであれば特に制限されず、所望の柔軟性や通気性、肌触り、強度等に応じた任意の寸法形状や厚み等を採用することができる。
【００４１】
［芯材］
本実施形態に係る帯状体１において芯材４は、平面視にて、帯状体１の長手方向Ｌにおける一方側端縁部ＥL1から他方側端縁部ＥL2に亘って延在するとともに幅方向Ｗにおける一方側端縁部ＥW1から他方側端縁部ＥW2に亘って延在する、上述の内側表面材２と同様の縦長の外形形状を有し、帯状体１の厚さ方向Ｔにおいて上述の内側表面材２よりも胴体非対向面側の位置（具体的には、内側表面材２と外側表面材３の間の位置）に配置されて、帯状体１に所定の剛性ないし強度を付与し得る剛性シート材によって構成されている。
【００４２】
本発明において、芯材として用い得る剛性シート材は、帯状体の芯材として用い得る所定の剛性を有し且つ洗濯等により再利用可能なものであれば特に制限されず、平織物等の織布；不織布；編布；天然皮革；合成皮革；ポリオレフィンやポリエステル製シート等の樹脂製シートなどの様々なシート材を採用することができるが、剛性や一定の柔軟性、通気性、強度などの点から、織布や不織布、編布等の繊維シートを用いることが好ましい。なお、剛性シート材が織布等の繊維シートからなる場合、その構成繊維は特に制限されず、上述の柔軟性シート材と同様のものを用いることができる。
【００４３】
また、芯材として用い得る剛性シート材の剛性値は、特に制限されないが、帯状体の巻き付けやすさや胴体形状の追従性などの点から、０．５×１０−４〜１２×１０−４Ｎ・ｍ2／ｍの範囲内であることが好ましい。なお、剛性シート材の剛性値は、曲げ剛性試験、すなわち、測定対象のシート材から所定サイズ（例えば、１００ｍｍ×１００ｍｍ）の試験片を切り出した後、該試験片の各種方向（すなわち、測定対象部材の長手方向及び幅方向のそれぞれに対応する方向）における曲げ剛性を、純曲げ試験機  ＫＥＳ  ＦＢ-２（カトーテック株式会社製）を用いて測定することにより、得ることができる。
【００４４】
本発明において、芯材として用い得る剛性シート材の寸法形状や厚み等は、かかる剛性シート材が帯状体の芯材として機能し得るものであれば特に制限されず、所望の剛性や柔軟性、通気性等に応じた任意の寸法形状や厚み等を採用することができる。
【００４５】
なお、本発明においては、帯状体が、芯材以外の構成部材（例えば、内側表面材や外側表面材、係合部材、剛性補強部材等）によって、帯状体全体として所定の剛性を有している場合は、帯状体は、必ずしもこのような芯材を備えていなくてもよい。
【００４６】
［外側表面材］
本実施形態に係る帯状体１において外側表面材３は、図３及び図４に示すように、平面視にて、帯状体１の長手方向Ｌにおける一方側端縁部ＥL1から他方側端縁部ＥL2に亘って延在するとともに、幅方向Ｗにおける一方側端縁部ＥW1から他方側端縁部ＥW2に亘って延在する、上述の内側表面材２と同様の縦長の外形形状を有し、帯状体１の厚さ方向Ｔにおいて胴体非対向面側の位置（具体的には、上述の芯材４よりも胴体非対向面側の位置）に配置されて、股下部材１０の胴体対向面となる第１面Ｆ3に配置された腹部側係合部材１７及び背部側係合部材１８、並びに帯状体１の前記第１領域Ａ１の胴体対向面Ｆ1に配置されたフック部材７２（第３係合部）と係合し得る、被係合性シート材によって構成されている。このため、本実施形態においては、帯状体１の第２領域Ａ２の胴体非対向面Ｆ２においてフック部材６（第２係合部）よりも長手方向内方側に位置する胴体非対向面側被係合部８が、上述の外側表面材３の胴体非対向面Ｆ２の一部として構成されている。
【００４７】
本発明において、外側表面材として用い得る被係合性シート材は、帯状体の胴体非対向面となる表面に各種係合部材（例えば、股下部材の腹部側係合部材や背部側係合部材、帯状体の第３係合部を構成するフック部材等）が係合し得る所定の被係合性構造（例えば、ループ構造や所定の繊維長及び繊維間距離を有する繊維集合体構造等）を有し、さらに、帯状体の外側表面材として用い得る所定の柔軟性や強度等を有し且つ洗濯等により再利用可能なものであれば特に制限されず、例えば、合成繊維によって基部及び複数のループ部が一体的に形成された編物からなるシート状のループ材；ポリエステル等の合成樹脂により基部及び複数のループ部が一体的に形成された成形物からなるシート状のループ材；不織布などの様々なシート材を採用することができるが、各種係合部材との係合のしやすさ、係合強度、柔軟性などの点から、基部及び複数のループ部を有するシート状のループ材を用いることが好ましい。なお、上述の実施形態においては、外側表面材３は、基部と複数のループ部を有するシート状のループ材によって構成されている。
【００４８】
帯状体の外側表面材として用い得る被係合性シート材が上述の成形物からなるシート状のループ材からなる場合、その構成材料は特に制限されず、例えば、ポリエステルやポリオレフィン等の任意の合成樹脂を用いることができ、かかる合成樹脂は、単一種類の樹脂を用いても、二種類以上の樹脂を併用してもよい。また、被係合性シート材が上述の編物からなるシート状のループ材又は不織布からなる場合も、その構成繊維は特に制限されず、上述の柔軟性シート材と同様のものを用いることができる。
【００４９】
外側表面材として用い得る被係合性シート材は、当該被係合性シート材の全体が上述の被係合性構造を有している必要はなく、股下部材の係合部材（すなわち、腹部側係合部材及び背部側係合部材）や帯状体の第３係合部と係合し得る部分に上述の被係合性構造を有していればよい。したがって、被係合性シート材は、被係合性構造を有している部分以外のその他の部分は、任意のシート材（例えば、上述の内側表面材と同様の繊維シート等）によって構成されていてもよい。
【００５０】
なお、かかる被係合性シート材は、股下部材の係合部材と係合し得る位置に被係合性構造を有している場合は、その被係合性構造を有している部分が、外側表面材の固定面（すなわち、帯状体の胴体非対向面における固定面）となり、さらに、上述の第３係合部と係合し得る位置に被係合性構造を有している場合は、その被係合性構造を有している部分が、上述の胴体非対向面側被係合部となる。
【００５１】
また、本発明においては、股下部材の固定部（すなわち、帯状体に着脱自在に固定するための部分）が上述のような係合部材（腹部側係合部材及び背部側係合部材）である必要はないため、当該股下部材の固定部が係合部材以外の部材（例えば、粘着テープ等の粘着部）によって構成されている場合は、外側表面材は、必ずしも被係合性シート材である必要はなく、任意のシート材（例えば、上述の内側表面材と同様の柔軟性シート材等）を採用することもできる。
【００５２】
そして、上述の実施形態においては、帯状体１は、当該帯状体１の胴体非対向面Ｆ２においてフック部材６（第２係合部）よりも長手方向内方側に位置する胴体非対向面側被係合部８が、前記フック部材６（第２係合部）の長手方向内方側端縁から帯状体１の幅方向Ｗに延びる長手方向中央軸線ＣＷを越えるようにして、帯状体１の長手方向Ｌに延在している。このように胴体非対向面側被係合部８が長手方向Ｌの広範囲に亘って延在していると、上述のフック部材７２（第３係合部）と胴体非対向面側被係合部８との係合位置の自由度が大きくなるため、帯状体１の締め付け力の調節や装着位置の微調整を行った後の装着状態（すなわち、本装着の状態）を、より的確に維持することができる。
【００５３】
なお、本発明において、外側表面材として用い得る被係合性シート材の寸法形状や厚み等は、かかる被係合性シート材が帯状体の外側表面材として機能し得るものであれば特に制限されず、所望の剛性や柔軟性、通気性等に応じた任意の寸法形状や厚み等を採用することができる。
【００５４】
［係合部材］
次に、本発明の帯状体に用い得る各種係合部材（フック部材及びループ部材）について、上述の実施形態に係る帯状体１を用いて更に詳細に説明する。なお、本明細書において、「係合」とは、所定構造を有する要素同士が機械的に係わり合うことで繋がり、各要素を所定の力を以て引き離さない限り、その繋がった状態が維持されるような状態をいい、「係合部材」の代表的な例としては、いわゆる面ファスナーなどが挙げられる。
【００５５】
＜第１係合部＞
本実施形態に係る帯状体１は、当該帯状体１が動物の胴体に装着した状態を維持するための固定手段として、図２及び図３に示すように、帯状体１の第１領域Ａ１の胴体対向面Ｆ1に配置されるループ部材５（第１係合部）と、帯状体１の第２領域Ａ２の胴体非対向面Ｆ２に配置され且つ前記ループ部材５と係合可能なフック部材６（第２係合部）と、を備えている。本実施形態においてループ部材５（第１係合部）は、所定の長手方向長さ（帯状体１の長手方向Ｌに沿う方向の長さ）及び幅方向長さ（帯状体１の幅方向Ｗに沿う方向の長さ）を有する、略矩形状の外形形状を有している。
【００５６】
本発明において、第１係合部を形成し得るループ部材としては、第２係合部のフック部材と係合し得る限り特に制限されず、例えば、上述の外側表面材と同様のシート状のループ材を用いることができる。
【００５７】
なお、本発明においては、第１係合部は、ループ部材に限定されず、フック部材を用いることもできる。この場合、第２係合部がループ部材によって形成されることになる。しかしながら、第１係合部は、上述の実施形態のようにループ部材によって形成されていることが好ましい。帯状体の胴体対向面に配置される第１係合部がこのようなループ部材によって形成されていると、かかるループ部材は、第２係合部の係合突起を受け入れる係合凹部（すなわち、ループ部）を有し、係合突起を有していないため、帯状体の装着時に、帯状体の胴体対向面に配置された第１係合部に動物の毛が絡まったり、係合突起によって動物の胴体にチクチクとした刺激を与えたりするのを防ぐことができる。これにより、帯状体は、装着時に動物が嫌がりにくく、当該帯状体を動物の適正な位置に密着させて装着した状態が維持しやすくなる。
【００５８】
また、本発明において、第１係合部の寸法形状や厚み等は、第２係合部と係合し得る限り特に制限されず、所望の係合強度や剛性、柔軟性等に応じた任意の寸法形状や厚み等を採用することができる。
【００５９】
＜第２係合部＞
上述の実施形態に係る帯状体１において、当該帯状体１の第２領域Ａ２の胴体非対向面Ｆ２に配置されるフック部材６（第２係合部）は、帯状体１の幅方向Ｗに長く延在する略矩形状の外形形状を有している。本実施形態において、フック部材６（第２係合部）は、図４に示すように、外側表面材３の胴体非対向面Ｆ２上に配置される基部と、該基部から胴体非対向面側に向かって突出する複数の係合突起とを有しており、さらに、かかる複数の係合突起の各々は、前記基部から胴体非対向面側に向かって延びる軸部と、該軸部の先端（具体的には、前記基部とは反対側に位置する軸部の先端）において該軸部の外周面が拡径する方向に膨らんだ拡径部とを有する、いわゆる、マッシュルーム型のフック材によって構成されている。なお、本実施形態においては、帯状体１の前記第１領域Ａ１の胴体対向面Ｆ1に配置されるフック部材７２（第３係合部）も、フック部材６（第２係合部）と同様の構造を有するフック材によって構成されている。
【００６０】
本発明において、第２係合部を形成し得るフック部材は、このような特定構造を有するフック材（すなわち、マッシュルーム型のフック材）に限定されず、例えば、軸部の先端が基部に向かって折り返された構造を有する、いわゆる、カギ型のフック材などの、任意の構造を有するフック材も好適に用いることができる。但し、上記特定構造を有するフック材を第２係合部のフック部材として用いた場合は、当該フック部材が帯状体の胴体対向面に配置されたループ部材（第１係合部）に係合固定されているときに、当該係合固定されている部分が動物の動作等によって様々な方向に引っ張られたとしても、上記フック部材（第２係合部）が上述のループ部材上のあらゆる方向の力に対応して係合状態を維持することができるため、上記フック部材（第２係合部）と上記ループ部材（第１係合部）の係合状態を強固に維持することができ、結果的に、帯状体を動物の胴体の適正な位置からズレにくくすることができる上、動物の胴体から外れにくくすることができる。さらに、このような特定構造を有するフック材は、所定の被係合性構造を有するループ材以外の任意の繊維構造体（例えば、不織布、編布等）と係合することが可能なため、上述の第１係合部を所定のループ材によって形成する必要がなく、省資源化や低コスト化等の各種製品コンセプトに応じた多様な製品設計を実現することができる。
【００６１】
第２係合部を形成し得るフック部材の構成材料は、特に制限されず、例えば、ポリエステルやポリオレフィン、ポリアミド、ポリ塩化ビニル、オレフィン系エラストマー、ウレタン系エラストマーなどの任意の合成樹脂を用いることができ、さらに、かかる合成樹脂は単一種類の樹脂を用いても、二種類以上の樹脂を併用してもよい。
【００６２】
また、上述の実施形態においては、フック部材６（第２係合部）は、長手方向Ｌの長さが幅方向Wの長さよりも小さく形成されている。このように、第２係合部の長手方向Ｌの長さが幅方向Ｗの長さよりも小さく形成されていると、第２係合部の幅方向が帯状体１の長手方向Ｌに対応するため、第１係合部と第２係合部の係合を、一定の係合強度を確保しつつも、上述の摘持部７を掴んで帯状体１の締め付け力の調節や装着位置の微調整を行う際は、解除しやすくすることができる。これにより、帯状体１は、動物の胴体に対して、より容易に、帯状体１を適正な位置に密着させて装着することができる。
【００６３】
なお、本発明においては、第２係合部は、フック部材に限定されず、ループ部材を用いることもできる。この場合、第１係合部がフック部材によって形成されることになる。しかしながら、第２係合部は、上述の実施形態のように複数の係合突起を有するフック部材によって形成されていることが好ましい。帯状体の胴体非対向面に配置される第２係合部がこのような複数の係合突起を有するフック部材によって形成されていると、かかるフック部材と係合する第１係合部は、当該フック部材の係合突起を受け入れる係合凹部（すなわち、ループ部）を有し、係合突起を有していないループ部材によって形成されるため、帯状体の装着時に、当該帯状体の胴体対向面に配置された第１係合部に動物の毛が絡まったり、係合突起によって動物の胴体にチクチクとした刺激を与えたりするのを防ぐことができる。これにより、帯状体は、装着時に動物が嫌がりにくく、当該帯状体を動物の適正な位置に密着させて装着した状態が維持しやすくなる。
【００６４】
また、帯状体が、上述のような第１係合部及び第２係合部を備えていると、かかる帯状体を動物の胴周りに沿って装着する際に、動物の背部において、帯状体の長手方向における一方側の第１領域が他方側の第２領域の上に（すなわち、第２領域の胴体非対向面上に）重ねられた状態で、上記第１係合部及び第２係合部によって係合固定することができるため、このような第１係合部及び第２係合部を備えた帯状体は、当該帯状体の装着時に、前記第１領域と前記第２領域が上述の各係合部を介して重複し、さらに、その重複した部分が帯状体の幅方向に延在するように形成される。これにより、帯状体は、動物の背部に対応する領域において、動物の前後方向に対応する方向（すなわち、帯状体の幅方向）の剛性が高くなるため、かかる帯状体を装着した動物が腹部を抱えるように屈曲するなどの動作をしても、帯状体が幅方向に屈曲しにくく、結果的に、帯状体の中央領域が動物の前後方向に対応する方向に変形しにくくなり、かかる帯状体に固定される股下部材を、動物の股下に持続的且つ的確に当接させることができる。
【００６５】
なお、本発明において、第２係合部の寸法形状や厚み等は、上述の第１係合部と係合し得る限り特に制限されず、所望の係合強度や剛性、柔軟性等に応じた任意の寸法形状や厚み等を採用することができる。
【００６６】
＜第３係合部＞
上述の実施形態に係る帯状体１において、帯状体１の第１領域Ａ１の胴体対向面Ｆ1においてループ部材５（第１係合部）の前記長手方向外方側に隣接するように配置されるフック部材７２（第３係合部）は、帯状体１の幅方向Ｗに長く延在する略矩形状の外形形状を有していて、当該フック部材７２の長手方向外方側に隣接する非係合部７１とともに、上述の摘持部７の一部を構成している。
【００６７】
なお、本発明の帯状体においては、上述の摘持部がこのような第３係合部を備えることは、必須の構成要件ではないものの、摘持部は、上述の第２係合部よりも長手方向内方側に位置する胴体非対向面側被係合部と係合可能な第３係合部を、帯状体の胴体対向面に備えていることが好ましい。帯状体の摘持部がこのような第３係合部を胴体対向面に備えていると、飼い主が、上述の帯状体の締め付け力の調節や装着位置の微調整を行った後に、第１係合部と第２係合部を再係合させることによってその状態を維持しつつ、更に上述の第３係合部と胴体非対向面側被係合部を係合させることによって、その状態をより確実に維持することができる。さらに、第１係合部よりも長手方向外方側に位置する摘持部が、上述の第３係合部によって胴体非対向面側被係合部と係合固定すると、帯状体の長手方向の一方側端縁部が捲れたり、当該一方側端縁部が動物の爪や外部の構造物に引っ掛かったりして、第１係合部と第２係合部の係合が外れるというようなことが起こりにくくなるため、帯状体を動物の適正な位置に密着させて装着した状態を、より確実に維持することができる。
【００６８】
本発明において、第３係合部を形成し得るフック部材としては、上述の胴体非対向面側被係合部と係合し得るものであれば特に制限されず、例えば、上述の第２係合部と同様のフック部材を用いることができる。
【００６９】
なお、第３係合部が、上述の第２係合部のフック部材と同様に、胴体対向面側へ突出する複数の係合突起を有するフック部材によって形成されていると、かかるフック部材と係合する胴体非対向面側被係合部は、上記フック部材の係合突起を受け入れる係合凹部を有し、係合突起を有していない被係合部材（例えば、ループ部材等）によって形成されるため、当該胴体非対向面側被係合部の剛性が、係合突起を有することによって増大するのを防ぐことができる。これにより、帯状体の剛性を増大させずに、上述の胴体非対向面側被係合部をより広く確保することができるため、上述の帯状体の締め付け力の調節や装着位置の微調整を、より容易に且つより精度よく行うことができる。
【００７０】
また、上述の実施形態においては、フック部材７２（第３係合部）は、前記長手方向Ｌの長さが前記幅方向Ｗの長さよりも小さく形成されている。通常、動物の胴周りに沿って装着された帯状体は、長手方向に湾曲するため、比較的剛性の高い係合部においては、その剛性によって、湾曲した状態から元の状態に戻ろうとする反発力が生じ、当該係合部による係合が外れやすくなるところ、上述の実施形態のように、フック部材７２（第３係合部）の前記長手方向Ｌの長さが前記幅方向Ｗの長さよりも小さく形成されていると、当該フック部材７２（第３係合部）において、前記長手方向Ｌに湾曲する領域を小さくしつつ、上述の胴体非対向面側被係合部８と係合する領域を前記幅方向Ｗに広く確保することができるため、当該フック部材７２（第３係合部）と胴体非対向面側被係合部８の係合を外れにくくすることができる。
【００７１】
なお、本発明において、第３係合部の寸法形状や厚み等は、上述の胴体非対向面側被係合部と係合し得る限り特に制限されず、所望の係合強度や剛性、柔軟性等に応じた任意の寸法形状や厚み等を採用することができる。
【００７２】
［剛性補強部材］
上述の実施形態に係る帯状体１において剛性補強部材９は、１本の帯状部材からなり、図１〜図４に示すように、帯状体１の外周端縁部において帯状体１の胴体対向面Ｆ1（具体的には、内側表面材２の胴体対向面）から胴体非対向面Ｆ2（具体的には、外側表面材３の胴体非対向面）まで延在するように配置されている。
【００７３】
帯状体がこのような剛性補強部材を備えることは、本発明においては必須の構成要件ではないものの、帯状体は、少なくとも長手方向に延在する剛性補強部材を有していることが好ましい。帯状体が、このような長手方向に延在する剛性補強部材を有していると、帯状体の装着時に、動物の動作等によって帯状体の幅方向（すなわち、動物の前後方向に対応する方向）に力が加わったとしても、当該方向と交差する方向（すなわち、帯状体の長手方向）に延在する剛性補強部材によって上述の力に抗することができるため、帯状体が幅方向に変形しにくくなり、かかる帯状体に固定される股下部材をより確実に外れにくくすることができる。
【００７４】
上述の実施形態において剛性補強部材９は、図２〜図４に示すように、帯状体１の外周端縁部において、縫合により、内側表面材２の胴体対向面及び外側表面材３の胴体非対向面のそれぞれと接合されている。具体的には、剛性補強部材９が、内側表面材２、芯材４及び外側表面材３の積層物を胴体対向面側及び胴体非対向面側の両側から挟むようにして配置されていて、さらに、胴体対向面側の剛性補強部材９、内側表面材２、芯材４、外側表面材３及び胴体非対向面側の剛性補強部材９が、縫合糸９１によって厚さ方向Ｔに縫い合わされることにより、一体的に接合されている。なお、剛性補強部材を上述の胴体対向面及び胴体非対向面に接合する手段は、特に制限されず、上述の縫合手段のほか、例えば、エンボス加工等の圧搾手段、ホットメルト型接着剤等を用いた接着手段、超音波等を用いた熱融着手段などの任意の接合手段を採用することができる。
【００７５】
剛性補強部材として用い得る帯状部材は、一定の剛性（強度）を有する帯状部材であれば特に制限されず、例えば、織布、不織布、樹脂製フィルム及びこれらを２種類以上組み合わせた積層シートなどからなる帯状部材を用いることができる。また、帯状部材は、帯状体を動物の胴体に対してフィットしやすくする点から、その長手方向において伸縮性を有するものが好ましい。このような長手方向に伸縮性を有する帯状部材としては、例えば、ウレタン繊維を織り込んだバイアステープ、ポリウレタン繊維やゴムなどの弾性材が織り込まれた織布、弾性材を含む伸縮性不織布、合成繊維又は天然繊維により編織成されたネット状生地などが挙げられる。なお、上述の実施形態に係る帯状体１においては、剛性補強部材９として、長手方向に伸縮性を有するバイアステープを用いている。
【００７６】
なお、剛性補強部材として用い得る帯状部材の寸法形状や厚み等は、上述の剛性補強部材として機能し得る限り特に制限されず、所望の剛性、柔軟性等に応じた任意の寸法形状や厚み等を採用することができる。
【００７７】
上述した各種部材を用いて本発明の帯状体を製造する方法は、特に制限されず、例えば、帯状体は、内側表面材や外側表面材、各種係合部材等を、任意の接合手段（例えば、接着手段、縫合手段等）を用いて或いは用いずに積層して積層物を得た後、必要により、当該積層物の外周端縁部に剛性補強部材を任意の接合手段を用いて接合することにより、製造することができる。
【００７８】
以下、本発明の帯状体が適用され得る動物用吸収性物品の股下部材について、図面を参照しながら詳細に説明する。
【００７９】
股下部材１０は、図７に示すように、動物の股下部を中心にして動物の腹部から背部に至る部分に配置されて、動物から排出される糞尿などの排泄物を吸収して保持するための吸収性部材である。そのような吸収性部材としては、特に限定されないが、例えば、使い捨ておむつ、（軽）失禁パッド等が挙げられる。股下部材１０は、図７に示すように、装着時に動物の腹部側に位置する腹部側端部ＥL3及び動物の背部側に位置する背部側端部ＥL4の両方の端部が、帯状体１の胴体非対向面Ｆ2の固定面に対して着脱自在に係合固定されて使用される。
【００８０】
ここで、図５は、本発明の帯状体が適用され得る動物用吸収性物品の股下部材１０を、展開した状態で胴体対向面側から厚さ方向に見た平面図である。この図５に示すように、股下部材１０は、展開した状態の平面視にて、長手方向Ｌ’及び幅方向Ｗ’を有する縦長の略矩形状の外形形状を有するとともに、厚さ方向において、装着時に動物の胴体に対向する面（胴体対向面）となる第１面Ｆ3と、当該第１面Ｆ3とは反対側の面（胴体非対向面）となる第２面Ｆ4と、を有している。
なお、股下部材の外形形状や外形寸法等は、特に制限されず、装着対象となる動物の種類や体型、サイズ等に応じた任意の縦長の外形形状（例えば、長方形、楕円形、砂時計形等）や外形寸法等を採用することができる。
【００８１】
また、股下部材１０は、図５に示すように、厚さ方向において、股下部材１０の胴体対向面側に位置する液透過性の表面シート１１と、股下部材１０の胴体非対向面側に位置する液不透過性の裏面シート１２と、これら各シートの間に位置し且つ平面視にて股下部材１０の幅方向Ｗ’に延びる長手方向中央軸線Ｃ’Wを長手方向Ｌ’に跨いで延在するとともに長手方向Ｌ’に延びる幅方向中央軸線Ｃ’Lを幅方向Ｗ’に跨いで延在するように配置された吸収体１３と、を基本構成として備えていて、動物から排泄された糞尿などの排泄物を、厚さ方向に浸透させながら吸収体１３にて吸収及び保持することができるように構成されている。
【００８２】
さらに、股下部材１０は、図５に示すように、股下部材１０の長手方向Ｌ’における両方の端部（すなわち、腹部側端部ＥL3及び背部側端部ＥL4）の各々の第１面Ｆ3に配置された係合部材（すなわち、腹部側係合部材１７及び背部側係合部材１８）と、平面視にて吸収体１３及び背部側端部ＥL4の間において幅方向中央軸線Ｃ’Lと重複する位置に配置された、動物の尻尾を挿通するための尻尾用開口部１９と、表面シート１１の胴体対向面側において幅方向中央軸線Ｃ’Lを挟んで配置された、一対のサイドシート１４と、当該サイドシート１４の幅方向内方側の端部に配置された、長手方向Ｌ’に延びるギャザー形成用弾性部材１５と、平面視にて吸収体１３を挟むようにして当該吸収体１３に対して幅方向外方側に配置された弾性部材１６と、を更に備えていて、動物の股下に着実に装着することができ、動物から排泄された糞尿などの排泄物を外部に漏出させないように構成されている。
【００８３】
なお、本発明の帯状体が適用され得る動物用吸収性物品の股下部材は、このような態様のものに限定されず、本発明の帯状体は、装着対象となる動物の種類や体型、サイズ等に応じた任意の股下部材に適用することができる。
【００８４】
また、本発明の帯状体は、上述の実施形態に制限されることなく、本発明の目的、趣旨を逸脱しない範囲内において、適宜組み合わせや代替、変更等が可能である。なお、本明細書において、「第１」、「第２」等の序数は、当該序数が付された事項を区別するためのものであり、各事項の順序や優先度、重要度等を意味するものではない。
【符号の説明】
【００８５】
１    帯状体
２    内側表面材
３    外側表面材
４    芯材
５    ループ部材（第１係合部）
６    フック部材（第２係合部）
７    摘持部
７１    非係合部
７２    フック部材（第３係合部）
８    胴体非対向面側被係合部
９    剛性補強部材
１０    股下部材（動物用使い捨ておむつ）
【図１】
2018088851.tif 000003
【図２】
2018088851.tif 000004
【図３】
2018088851.tif 000005
【図４】
2018088851.tif 000006
【図５】
2018088851.tif 000007
【図６】
2018088851.tif 000008
【図７】
2018088851.tif 000009